(57)【要約】【課題】厨房など発生する排気から油煙を分離し、周囲の環境を汚染を防止する。【解決手段】油煙分離システム１０内部の自動給水貯水槽１１および多層構造の自動水噴霧濾過装置３０によって、油煙分離システム１０内に導入された油煙に対して、噴霧プレート３１底端の噴霧孔３１１から霧状の水を下方に噴霧し、油煙に含まれる油を濾過し、油は自動給水貯水槽１１に落下し、一側に独立して設けられた排油槽１２に収集されて処理され、上昇する油蒸気および水蒸気は上端部の気体フィルタ３４によって濾過され、清潔で低温の排気が油煙分離システム１０上部の煙突１６から排出され、排出空気を清潔に保ち、周辺環境を汚染しない。【選択図】図１
0003145600.tif 000002
【実用新案登録請求の範囲】
【請求項１】
油煙分離システム主体と該油煙分離システム主体と厨房のレンジフードから排気ダクト及びモータを経由して接続されるレンジフードの排気管路から構成され、
該油煙分離システム主体は、下部に自動給水貯水槽及び該自動給水槽とそれぞれ独立した排油槽およびオーバーフロー槽が設けられ、
前記自動給水貯水槽と前記排油槽とは所定の高さで排油孔を介して連通すると共に該排油槽の底部には開閉バルブを具えた排油管が設けられ、
また、前記自動給水貯水槽には補水管に接続するボールバルブが設けられて自動給水貯水槽の水位を調節維持する構成とすると共に、前記自動給水貯水槽および前記オーバーフロー槽底部には開閉バルブを具えた排水管がそれぞれ設けられて自動給水貯水槽の排水及び自動給水貯水槽からオーバーフロー槽への流路とされ、
前記油煙分離システム上部には噴霧プレートを具え、間隔を開けて配置された複数のフィルター材からなる多層構造の自動水噴霧濾過装置が下端に、その上端には気体フィルタが設けられ、
該記噴霧プレートは給水管およびポンプを介して前記油煙分離システム下部の自動給水貯水槽と連通されて、底部に複数の噴霧孔が設けられた噴霧プレートに動給水貯水槽内の水を供給して霧状に水を噴霧し、
さらに、油煙分離システム本体の外側には前記気体フィルタ、前記枠体、前記多層構造の自動水噴霧濾過装置、前記噴霧プレート、前記噴霧孔などの設備の交換および洗浄などのメンテナンス用開口が設けられ
油煙分離システム本体上部には排煙用の煙突が設けられたことを特徴とする、
厨房などで発生する油煙を含む排気から油煙を分離除去する排気装置。
【請求項２】
前記上端部の気体フィルタは、枠体内に設けられた中空管状のセラミックフィルタが組合わされて構成されることを特徴とする請求項１記載の厨房などで発生する油煙を含む排気から油煙を分離除去する排気装置。
【請求項３】
前記上端部の気体フィルタは、枠体内に設けられたハニカム構造の気体透過フィルタが組合わされて構成されることを特徴とする請求項１記載の厨房などで発生する油煙を含む排気から油煙を分離除去する排気装置
【請求項４】
前記上端部の気体フィルタは、枠体内に設けられた活性炭フィルタが組合わされて構成されることを特徴とする請求項１記載の厨房などで発生する油煙を含む排気から油煙を分離除去する排気装置。
【請求項５】
前記上端部の気体フィルタは、枠体内に設けられたスポンジフィルタが組合わされて構成されることを特徴とする請求項１記載の厨房などで発生する油煙を含む排気から油煙を分離除去する排気装置。
【請求項６】
前記噴霧プレートの下端には、順番にハニカム構造の気体透過フィルタ、活性炭フィルタおよびスポンジフィルタが設けられることを特徴とする請求項１記載の厨房などで発生する油煙を含む排気から油煙を分離除去する排気装置。
【請求項７】
前記噴霧プレートの下端には、順番に活性炭フィルタ、スポンジフィルタおよびハニカム構造の気体透過フィルタが設けられることを特徴とする請求項１記載の厨房などで発生する油煙を含む排気から油煙を分離除去する排気装置。
【請求項８】
前記噴霧プレートの下端には、順番にスポンジフィルタ、ハニカム構造の気体透過フィルタおよび活性炭フィルタが設けられることを特徴とする請求項１記載の厨房などで発生する油煙を含む排気から油煙を分離除去する排気装置。
【請求項９】
前記噴霧プレートの下端には、順番に活性炭フィルタ、スポンジフィルタおよび中空管状のセラミックフィルタが設けられることを特徴とする請求項１記載の厨房などで発生する油煙を含む排気から油煙を分離除去する排気装置。
【請求項１０】
前記噴霧プレートの下端には、順番にスポンジフィルタ、中空管状のセラミックフィルタおよび活性炭フィルタが設けられることを特徴とする請求項１記載の厨房などで発生する油煙を含む排気から油煙を分離除去する排気装置。
【請求項１１】
前記噴霧プレートの下端には、順番に中空管状のセラミックフィルタ、スポンジフィルタおよび活性炭フィルタが設けられることを特徴とする請求項１記載の厨房などで発生する油煙を含む排気から油煙を分離除去する排気装置。
【請求項１２】
前記噴霧プレートの下端には、順番にスポンジフィルタ、中空管状のセラミックフィルタおよびハニカム構造の気体透過フィルタが設けられることを特徴とする請求項１記載の厨房などで発生する油煙を含む排気から油煙を分離除去する排気装置。
【請求項１３】
前記噴霧プレートの下端には、順番に中空管状のセラミックフィルタ、ハニカム構造の気体透過フィルタおよびスポンジフィルタが設けられることを特徴とする請求項１記載の厨房などで発生する油煙を含む排気から油煙を分離除去する排気装置。
【請求項１４】
前記噴霧プレートの下端には、順番にハニカム構造の気体透過フィルタ、スポンジフィルタおよび中空管状のセラミックフィルタが設けられることを特徴とする請求項１記載の厨房などで発生する油煙を含む排気から油煙を分離除去する排気装置。
【請求項１５】
前記噴霧プレートの下端には、順番に中空管状のセラミックフィルタ、ハニカム構造の気体透過フィルタおよび活性炭フィルタが設けられることを特徴とする請求項１記載の厨房などで発生する油煙を含む排気から油煙を分離除去する排気装置。
【請求項１６】
前記噴霧プレートの下端には、順番にハニカム構造の気体透過フィルタ、活性炭フィルタおよび中空管状のセラミックフィルタが設けられることを特徴とする請求項１記載の厨房などで発生する油煙を含む排気から油煙を分離除去する排気装置。
【請求項１７】
前記噴霧プレートの下端には、順番に活性炭フィルタ、中空管状のセラミックフィルタおよびハニカム構造の気体透過フィルタが設けられることを特徴とする請求項１記載の厨房などで発生する油煙を含む排気から油煙を分離除去する排気装置。
【請求項１８】
前記噴霧プレート下端には、複数の中空管状のセラミックフィルタが設置されることを特徴とする請求項１記載の厨房などで発生する油煙を含む排気から油煙を分離除去する排気装置。
【請求項１９】
前記噴霧プレート下端には、複数のハニカム構造の気体透過フィルタが設置されることを特徴とする請求項１記載の油煙を分離する多重フィルタが設けられた排気装置。
【請求項２０】
前記噴霧プレート下端には、複数の活性炭フィルタが設置されることを特徴とする請求項１記載の厨房などで発生する油煙を含む排気から油煙を分離除去する排気装置。
【請求項２１】
前記噴霧プレート下端には、複数のスポンジフィルタが設置されることを特徴とする請求項１記載の厨房などで発生する油煙を含む排気から油煙を分離除去する排気装置。
【請求項２２】
前記排気装置には、二組の多層構造の自動水噴霧濾過装置が設置されることを特徴とする請求項１記載の厨房などで発生する油煙を含む排気から油煙を分離除去する排気装置。
【請求項２３】
前記排気装置には、三組の多層構造の自動水噴霧濾過装置が設置されることを特徴とする請求項１記載の厨房などで発生する油煙を含む排気から油煙を分離除去する排気装置。
【考案の詳細な説明】
【技術分野】
【０００１】
本考案は、油煙を分離する多重フィルタが設けられた排気装置に関し、油煙分離システム内部の自動給水貯水槽および多層構造の自動水噴霧濾過装置によって、油煙分離システム内に導入された油煙に噴霧プレート底端の噴霧孔から霧状の水を下方に噴霧し、また、噴霧プレート下方の適当な位置には、使用者の必要に応じて、例えば中空管状のセラミックフィルタ、ハニカム構造の気体透過フィルタ、活性炭フィルタ、スポンジフィルタなどの複数の気体フィルタが間隔をあけて設置され、自動噴霧プレートまたは噴霧管の噴霧孔から噴出される水は複数の間隔をあけて設けられた気体フィルタの濾過作用によって噴霧、散水、濾過および煙除去を行い、油煙に含まれる油を濾過し、油は自動給水貯水槽に落下し、一側に独立して設けられた排油槽に収集されて処理され、上昇する油蒸気および水蒸気は上端部の気体フィルタによって濾過され、清潔で低温の排気が油煙分離システム上部の煙突から排出され、排出空気を清潔に保ち、周辺環境を汚染せず、更に、モータとレンジフードを分離した設計によって室内での騒音の発生を防止することができる油煙を分離する多重フィルタが設けられた排気装置に関する。
【背景技術】
【０００２】
周知の通り、調理時には大量の油煙が発生し、その油煙は調理者の健康に害を及ぼすだけでなく、空気汚染をもたらし、厨房周辺の環境が汚れ、衛生的にも問題が発生するので、レンジフードが発明された。
【０００３】
現在のレンジフードは主にガスコンロ上方に設置され、モータファンによって調理時に発生する油煙を外部に排出し、濾過器および油受けが設置されて濾過された油が収集される構造となっており、厨房に油煙が充満するのを防止し、人体の健康に害を及ぼしたり、環境を汚染したりするのを有効的に低減する。
【０００４】
しかし、この種のレンジフードによって厨房内の油煙の問題は解決できるが、レンジフードが排出する油煙は厨房外部へと直接排出され、場合によっては排気管が直接排水口または下水道へ導入されるので、厨房外部の壁、排水口、下水道、アーケードまたは住宅などは油煙によって汚染され、外部の環境を汚染してしまい、この種のレンジフードを使用して厨房内の油煙を排出する方法は極めて利己的な方法であり、上述の問題に鑑みて、本考案の考案者は上述の問題を解決する必要があると感じた。
【特許文献１】特開２００２−６６２４３号公報
【特許文献２】特開平１１−２４１４号公報
【考案の開示】
【考案が解決しようとする課題】
【０００５】
本考案の第１の目的は、油と排気を予め分離および濾過して排出することによって空気汚染を防止し、周囲の環境を汚染することがない油煙を分離する多重フィルタが設けられた排気装置を提供することにある。
本考案の第２の目的は、排出空気の温度を低下させることによって周囲の環境に悪影響を与えることがない油煙を分離する多重フィルタが設けられた排気装置を提供することにある。
本考案の第３の目的は、油を独立した排油槽に収集して処理することによって環境汚染を防止することができる油煙を分離する多重フィルタが設けられた排気装置を提供することにある。
本考案の第４の目的は、レンジフードと組合せて使用できる油煙を分離する多重フィルタが設けられた排気装置を提供することにあり、それによって厨房内の油煙を排除できると同時に、外部の環境汚染を防止できる。
【課題を解決するための手段】
【０００６】
上述の問題を解決するために、本考案は油煙を分離する多重フィルタが設けられた排気装置を提供するものである。油煙分離システム内部の自動給水貯水槽および多層構造の自動水噴霧濾過装置によって油煙分離システム内に導入された油煙に対して、噴霧プレートまたは噴霧管底端の噴霧孔から霧状の水を下方に噴霧する。また、噴霧プレート下方の適当な位置には複数の間隔をあけて設けられた気体フィルタが設置される。上述の気体フィルタは使用者の必要に応じてフィルタ材を調整することができ、例えば中空管状のセラミックフィルタ、ハニカム構造の気体透過フィルタ、活性炭フィルタ、スポンジフィルタなどを採用することができる。自動噴霧プレートまたは噴霧管の噴霧孔から噴出される水は複数の間隔をあけて設けられた気体フィルタの濾過作用によって噴霧、散水、濾過および煙除去を行い、油煙に含まれる油を濾過し、油は自動給水貯水槽に落下し、一側に独立して設けられた排油槽に収集されて処理される。上昇する油蒸気および水蒸気は上端部の気体フィルタによって濾過される。上端部の気体フィルタも使用者の必要に応じてフィルタ材を調整することができ、清潔で低温の排気が油煙分離システム上部の煙突から排出され、排出空気を清潔に保ち、周辺環境を汚染しない。また、モータとレンジフードを分離した設計によって室内での騒音の発生を防止することができる。
【考案の効果】
【０００７】
本考案は油煙分離システムが設けられ、多層構造の自動水噴霧濾過装置による霧状の水の噴霧によって油煙に含まれる油を濾過して下方に落下させる。更に、気体フィルタによって、上昇する油蒸気および水蒸気は濾過され、清潔で低温の排気が油煙分離システム上部の煙突から排出される。自動給水貯水槽内に落下した油は比重の関係から上層に浮かび、上層の油は排油孔を通じて排油槽に収集され、所定の量が収集された後、後続の回収処理を行なうことができる。一般のレンジフードによって排出された油煙は、油煙分離システムによって再処理され、油と排気を分離して排出でき、空気汚染を防止できるだけでなく、周辺環境を汚染せず、モータとレンジフードを分離した設計によって室内での騒音の発生を防止することができ、従来技術によるレンジフードにおける直接油煙を外部に排出することによって生じる各種の問題を解決できる。
【考案を実施するための最良の形態】
【０００８】
本考案の目的、特徴および効果を示す実施例を図に沿って詳細に説明する。
【０００９】
図１から図３５に示すように、本考案の構造は、油煙分離システム１０を主体とし、油煙分離システム１０は中空の筒体であり、厨房に近い屋外の所定の位置に設置される。油煙分離システム１０の中段一側にはレンジフード２２のモータ２０および排気ダクト２１を経てレンジフード２２の排気管路が連通され（モータ２０は排気ダクト２１の如何なる位置に設置してもよい）、調理によって発生した油煙が油煙分離システム１０内に導入される。油煙分離システム１０下部には自動給水貯水槽１１が設けられ、自動給水貯水槽１１一側には独立した排油槽１２が設けられ、排油槽１２は排水機能を有さず、排油機能のみを有する。
入水口１３１は、自動給水貯水槽１１下部のオーバーフロー槽１３に位置し、このオーバーフロー槽１３は排水機能のみを有し、排油機能は有さない。オーバーフロー槽１３は多層の迂回路を形成する水位固定板１３２によって形成され、油がオーバーフロー槽１３に進入するのを防止する。自動給水貯水槽１１と排油槽１２との間の所定の高さには排油孔１２１が設けられ、排油槽１２の底部には開閉バルブが設けられた排油管１２２が接続される。自動給水貯水槽１１のオーバーフロー槽１３上部にはボールバルブ１４が設けられ、油煙分離システム１０一側の補水管１４１と組合わされて自動給水貯水槽１１の水位を調節維持する。自動給水貯水槽１１およびオーバーフロー槽１３底部には開閉バルブが設けられた排水管１１１、１３１がそれぞれ設けられる。必要時には油煙分離システム１０一側に細長い形状の窓１５を設ける。窓１５の可視範囲は自動給水貯水槽１１の最高水位の位置にまで及び、油と水とが分離した状態および貯水水位を観察することができる。油煙分離システム１０内部には多層構造の自動水噴霧濾過装置３０が設けられ、多層構造の自動水噴霧濾過装置３０上方には気体フィルタ３４が設けられる。気体フィルタ３４は枠体３４１内に使用者の必要に応じて中空管状のセラミックフィルタ４０、ハニカム構造の気体透過フィルタ５０、活性炭フィルタ６０、スポンジフィルタ７０などのフィルタ材を設置した構造にすることによって、上昇する油蒸気および水蒸気は上端部の気体フィルタ３４によって濾過され、清潔で低温の排気が油煙分離システム上部の煙突から排出される。多層構造の自動水噴霧濾過装置３０には噴霧プレート３１が設けられ、噴霧プレート３１は給水管３２およびポンプ３３を通じて油煙分離システム１０下部の自動給水貯水槽１１と連通され、噴霧プレート３１底部には複数の噴霧孔３１１が設けられ、自動給水貯水槽１１内の水は、ポンプ３３および給水管３２によって噴霧プレート３１に送られ、噴霧孔３１１から霧状に下方に噴霧されるか、或いは噴霧管３１２の管上に設けられた複数の不規則な噴霧孔３１３から霧状に下方に噴霧される。噴霧プレート３１下方の適当な位置には複数の間隔をあけて設けられた気体フィルタ３４が設置される。上述の気体フィルタ３４は使用者の必要に応じたフィルタ材を配置する。例えば、中空管状のセラミックフィルタ４０、ハニカム構造の気体透過フィルタ５０、活性炭フィルタ６０、スポンジフィルタ７０などを採用することができる。自動噴霧プレート３１の噴霧孔３１１から噴出される水は複数の間隔をあけて設けられた気体フィルタ３４の濾過作用によって噴霧、散水、濾過および煙除去を行い、油煙に含まれる油を濾過する。油煙分離システム１０の外端部には開口端３５が設けられ、気体フィルタ３４、枠体３４１、多層構造の自動水噴霧濾過装置３０、噴霧プレート３１、噴霧孔３１１などの設備の交換および洗浄を行なうことができる。油煙分離システム１０の上部には排煙用の煙突１６が設けられ、以上の構造によって本考案が構成される。
【００１０】
上述の構造によって、モータ２０が調理によって発生した油煙をレンジフード２２および排気ダクト２１を通じて油煙分離システム１０内部に導入した後、油煙は軽いので上昇し、この時、多層構造の自動水噴霧濾過装置３０の噴霧プレート３１から霧状の水が噴霧され、それによって油が下方の自動給水貯水槽１１内に落下し、油煙に含まれる油と排気を効果的に分離でき、上昇する油蒸気および水蒸気は上端部の気体フィルタ３４によって濾過され、清潔で低温の排気が油煙分離システム１０上部の煙突１６から排出される。また、噴霧プレート３１から噴霧される水によって排気の温度が低下されるので、空気の品質が保持される。自動給水貯水槽１１内に落下した油は比重の関係から上層に浮かび、自動給水貯水槽１１内部の貯水水位の制御によって、上層の油は排油孔１２１を通じて排油槽１２に収集され、所定の量が収集された後、下部の排油管１２２から排出されて後続の回収処理を行なうことができる。
【００１１】
上述の説明から分かるように、本考案は油煙分離システム１０が設けられ、多層構造の自動水噴霧濾過装置３０からの霧状の水の噴霧によって油煙に含まれる油を下方に濾過し、更に、上端部の気体フィルタ３４によって、上昇する油蒸気および水蒸気は濾過され、清潔で低温の排気が油煙分離システム１０上部の煙突１６から排出され、自動給水貯水槽１１内に落下した油は比重の関係から上層に浮かび、上層の油は排油孔１２１を通じて排油槽１２に収集され、所定の量が収集された後、後続の回収処理を行なうことができる。一般のレンジフード２２によって導入された油煙は、油煙分離システム１０によって再処理され、油と煙を分離して排出でき、空気汚染を防止できるだけでなく、周辺環境を汚染せず、モータ２０とレンジフード２２を分離した設計によって室内での騒音の発生を防止することができ、従来技術によるレンジフードにおける油煙を直接外部に排出することによって生じる各種の問題を解決できる。
【００１２】
以上のように、本考案による油煙を分離する多重フィルタが設けられた排気装置は、調理時に発生する油と排気を予め分離および濾過して排出することによって空気汚染を防止し、周囲の環境を汚染することがなく、産業上の利用性および実用性を有するものである。
【図面の簡単な説明】
【００１３】
【図１】本考案の一実施例を示す側面図である。
【図２】本考案の一実施例を示す上面図である。
【図３】本考案の一実施例を示す底面図である。
【図４】本考案の一実施例における噴霧プレートおよび噴霧孔を示す拡大図である。
【図５】本考案の一実施例における噴霧管および噴霧孔を示す拡大図である。
【図６】本考案の一実施例における噴霧管の噴霧孔から霧状の水が噴霧される状態を示す模式図である。
【図７】本考案の一実施例における気体フィルタを示す拡大図である。
【図８】本考案の一実施例における中空管状のセラミックフィルタを示す拡大図である。
【図９】本考案の一実施例におけるハニカム構造の気体透過フィルタを示す拡大図である。
【図１０】本考案の一実施例における活性炭フィルタを示す拡大図である。
【図１１】本考案の一実施例におけるスポンジフィルタを示す拡大図である。
【図１２】本考案の一実施例を示し、気体フィルタと枠体内に設けられた中空管状のセラミックフィルタを組合せた状態を示す断面図である。
【図１３】本考案の一実施例を示し、気体フィルタと枠体内に設けられたハニカム構造の気体透過フィルタを組合せた状態を示す断面図である。
【図１４】本考案の一実施例を示し、気体フィルタと枠体内に設けられた活性炭フィルタを組合せた状態を示す断面図である。
【図１５】本考案の一実施例を示し、気体フィルタと枠体内に設けられたスポンジフィルタを組合せた状態を示す断面図である。
【図１６】本考案の一実施例を示し、上端部の気体フィルタに枠体内に設けられた中空管状のセラミックフィルタを組合せ、噴霧プレート下端に順番にハニカム構造の気体透過フィルタ、活性炭フィルタおよびスポンジフィルタを設置した状態を示す側面図である。
【図１７】本考案の一実施例を示し、上端部の気体フィルタに枠体内に設けられた中空管状のセラミックフィルタを組合せ、噴霧プレート下端に順番に活性炭フィルタ、スポンジフィルタおよびハニカム構造の気体透過フィルタを設置した状態を示す側面図である。
【図１８】本考案の一実施例を示し、上端部の気体フィルタに枠体内に設けられた中空管状のセラミックフィルタを組合せ、噴霧プレート下端に順番にスポンジフィルタ、ハニカム構造の気体透過フィルタおよび活性炭フィルタを設置した状態を示す側面図である。
【図１９】本考案の一実施例を示し、上端部の気体フィルタに枠体内に設けられたハニカム構造の気体透過フィルタを組合せ、噴霧プレート下端に順番に活性炭フィルタ、スポンジフィルタおよび中空管状のセラミックフィルタを設置した状態を示す側面図である。
【図２０】本考案の一実施例を示し、上端部の気体フィルタに枠体内に設けられたハニカム構造の気体透過フィルタを組合せ、噴霧プレート下端に順番にスポンジフィルタ、中空管状のセラミックフィルタおよび活性炭フィルタを設置した状態を示す側面図である。
【図２１】本考案の一実施例を示し、上端部の気体フィルタに枠体内に設けられたハニカム構造の気体透過フィルタを組合せ、噴霧プレート下端に順番に中空管状のセラミックフィルタ、スポンジフィルタおよび活性炭フィルタを設置した状態を示す側面図である。
【図２２】本考案の一実施例を示し、上端部の気体フィルタに枠体内に設けられた活性炭フィルタを組合せ、噴霧プレート下端に順番に、スポンジフィルタ、中空管状のセラミックフィルタおよびハニカム構造の気体透過フィルタを設置した状態を示す側面図である。
【図２３】本考案の一実施例を示し、上端部の気体フィルタに枠体内に設けられた活性炭フィルタを組合せ、噴霧プレート下端に順番に、中空管状のセラミックフィルタ、ハニカム構造の気体透過フィルタおよびスポンジフィルタを設置した状態を示す側面図である。
【図２４】本考案の一実施例を示し、上端部の気体フィルタに枠体内に設けられた活性炭フィルタを組合せ、噴霧プレート下端に順番に、ハニカム構造の気体透過フィルタ、スポンジフィルタおよび中空管状のセラミックフィルタを設置した状態を示す側面図である。
【図２５】本考案の一実施例を示し、上端部の気体フィルタに枠体内に設けられたスポンジフィルタを組合せ、噴霧プレート下端に順番に、中空管状のセラミックフィルタ、ハニカム構造の気体透過フィルタおよび活性炭フィルタを設置した状態を示す側面図である。
【図２６】本考案の一実施例を示し、上端部の気体フィルタに枠体内に設けられたスポンジフィルタを組合せ、噴霧プレート下端に順番に、ハニカム構造の気体透過フィルタ、活性炭フィルタおよび中空管状のセラミックフィルタを設置した状態を示す側面図である。
【図２７】本考案の一実施例を示し、上端部の気体フィルタに枠体内に設けられたスポンジフィルタを組合せ、噴霧プレート下端に順番に、活性炭フィルタ、中空管状のセラミックフィルタおよびハニカム構造の気体透過フィルタを設置した状態を示す側面図である。
【図２８】本考案の一実施例を示し、二組の多層構造の自動水噴霧濾過装置を設置した状態を示す側面図である。
【図２９】本考案の一実施例を示し、三組の多層構造の自動水噴霧濾過装置を設置した状態を示す側面図である。
【図３０】本考案の一実施例を示し、噴霧管の下端に複数の中空管状のセラミックフィルタを設置した状態を示す側面図である。
【図３１】本考案の一実施例を示し、噴霧管の下端に複数のハニカム構造の気体透過フィルタを設置した状態を示す側面図である。
【図３２】本考案の一実施例を示し、噴霧管の下端に複数の活性炭フィルタを設置した状態を示す側面図である。
【図３３】本考案の一実施例を示し、噴霧管の下端に複数のスポンジフィルタを設置した状態を示す側面図である。
【図３４】本考案の一実施例の使用状態を示す模式図である。
【図３５】本考案の一実施例の使用状態を示す模式図である。
【符号の説明】
【００１４】
１０  油煙分離システム
１１  自動給水貯水槽
１１１  排水管
１２  排油槽
１２１  排油孔
１２２  排油管
１３  オーバーフロー槽
１３１  入水口
１３２  水位固定板
１３３  排水管
１４  ボールバルブ
１４１  補水管
１５  窓
１６  煙突
２０  モータ
２１  排気ダクト
２２  レンジフード
３０  多層構造の自動水噴霧濾過装置
３１  噴霧プレート
３１１  噴霧孔
３１２  噴霧管
３１３  噴霧孔
３２  給水管
３３  ポンプ
３４  気体フィルタ
３４１  枠体
３５  開口端
４０  中空管状のセラミックフィルタ
５０  ハニカム構造の気体透過フィルタ
６０  活性炭フィルタ
７０  スポンジフィルタ
【図１】
0003145600.tif 000003
【図２】
0003145600.tif 000004
【図３】
0003145600.tif 000005
【図４】
0003145600.tif 000006
【図５】
0003145600.tif 000007
【図６】
0003145600.tif 000008
【図７】
0003145600.tif 000009
【図８】
0003145600.tif 000010
【図９】
0003145600.tif 000011
【図１０】
0003145600.tif 000012
【図１１】
0003145600.tif 000013
【図１２】
0003145600.tif 000014
【図１３】
0003145600.tif 000015
【図１４】
0003145600.tif 000016
【図１５】
0003145600.tif 000017
【図１６】
0003145600.tif 000018
【図１７】
0003145600.tif 000019
【図１８】
0003145600.tif 000020
【図１９】
0003145600.tif 000021
【図２０】
0003145600.tif 000022
【図２１】
0003145600.tif 000023
【図２２】
0003145600.tif 000024
【図２３】
0003145600.tif 000025
【図２４】
0003145600.tif 000026
【図２５】
0003145600.tif 000027
【図２６】
0003145600.tif 000028
【図２７】
0003145600.tif 000029
【図２８】
0003145600.tif 000030
【図２９】
0003145600.tif 000031
【図３０】
0003145600.tif 000032
【図３１】
0003145600.tif 000033
【図３２】
0003145600.tif 000034
【図３３】
0003145600.tif 000035
【図３４】
0003145600.tif 000036
【図３５】
0003145600.tif 000037
【手続補正書】
【提出日】平成20年8月8日(2008.8.8)
【手続補正１】
【補正対象書類名】実用新案登録請求の範囲
【補正対象項目名】請求項１９
【補正方法】変更
【補正の内容】
【請求項１９】
前記噴霧プレート下端には、複数のハニカム構造の気体透過フィルタが設置されることを特徴とする請求項１記載の厨房などで発生する油煙を含む排気から油煙を分離除去する排気装置。